(57)【特許請求の範囲】
【請求項１】
内周面に螺条を有し、回転させることにより容器の口部に着脱される容器用のキャップであって、
外周面における周方向の複数の部位に、縦リブが複数並列に形成されたローレット部が形成され、複数の該ローレット部それぞれの上側又は下側に、前記縦リブが形成されていない非ローレット部が形成されており、
前記非ローレット部は、キャップを開ける際の回転方向である開封時回転方向の前方に位置する前記ローレット部との境界線である前方境界線と、前記開封時回転方向の後方に位置する前記ローレット部との境界線である後方境界線とで、前記外周面の周方向に延びる周方向基準線に対する傾斜角度が異なっており、
前記後方境界線が、前記開封時回転方向の後側から前側に向かってキャップの高さ方向に沿う長手方向の長さが漸減する複数の前記縦リブの該長手方向の端部に接する直線若しくは円弧状の曲線であるか、又は、前記前方境界線が、前記開封時回転方向の後側から前側に向かって前記長手方向の長さが漸増する複数の前記縦リブの該長手方向の端部に接する直線若しくは円弧状の曲線であり、
キャップを手指で摘まんで回転させる際に、手指の腹が、前記非ローレット部と、前記前方境界線を形成する前記縦リブ又は前記後方境界線を形成する前記縦リブとに当接するようになされている、容器用のキャップ。
【請求項２】
前記前方境界線は、前記後方境界線よりも前記周方向基準線に対する傾斜角度が大きい、請求項１に記載の容器用のキャップ。
【請求項３】
前記ローレット部を構成する縦リブは、前記開封時回転方向の後側から前側に向かって長さが漸減している、請求項１又は２に記載の容器用のキャップ。
【請求項４】
前記非ローレット部は、キャップの高さ方向に沿う最大長さが、前記ローレット部の同方向に沿う最大長さの２／３以上である、請求項１〜３の何れか１項に記載の容器用のキャップ。
【請求項５】
前記非ローレット部は、外周面の展開図において三角形状又は台形状である、請求項１〜４の何れか１項に記載の容器用のキャップ。
【請求項６】
前記非ローレット部が、複数の前記ローレット部それぞれの上側に形成されている、請求項１〜５の何れか１項に記載の容器用のキャップ。
【請求項７】
前記前方境界線は、前記周方向基準線に対する傾斜角度が略９０°であり、前記後方境界線は、前記周方向基準線に対する傾斜角度が１５〜６０°である、請求項１〜６の何れか１項に記載の容器用のキャップ。
【請求項８】
前記ローレット部及び前記非ローレット部は、何れも、外周面の展開図において直角三角形状である、請求項１〜７の何れか１項に記載の容器用のキャップ。
【請求項９】
請求項１〜８の何れか１項に記載の容器用キャップを、内容物が充填された容器の口部に螺着してなる、内容物入り容器。
【発明の詳細な説明】
【技術分野】
【０００１】
本発明は、容器用のキャップに関する。
【背景技術】
【０００２】
容器の口部に螺合させて取り付けられるキャップの外周面には、キャップを回転させて開封する際に、手指との間にすべりが生じないようにするために、縦リブが多数並列に形成されたローレットを設けることが多い。
例えば、特許文献１には、キャップの外周面に、縦リブと該縦リブよりも突出高さの低い小リブとを周方向に亘って交互に形成することが記載され、また、そのような構成により、界面活性剤や洗剤、溶剤などで濡れていても、手指が滑ることなくスムーズにキャップを回すことができることが記載されている。
【先行技術文献】
【特許文献】
【０００３】
【特許文献１】特開２００１−３５４２４７号公報
【発明の概要】
【発明が解決しようとする課題】
【０００４】
しかし、特許文献１のキャップのように、突出高さが異なる縦リブ及び小リブを設けると、キャップを回す際に手指の腹に縦リブが食い込み易く、キャップを強く締めたい場合やキャップが回りにくい場合等に、キャップを強く摘まんで回転させようとすると手指の腹に痛みを感じる恐れがある。
他方、ローレットのないキャップは、手指の腹に食い込む縦リブがないため、痛みを感じることは少ないが、手指が滑って回転させることが困難な場合が生じる。
【０００５】
本発明の課題は、前述した従来技術が有する解決課題を解決することにある。
【課題を解決するための手段】
【０００６】
本発明は、内周面に螺条を有し、回転させることにより容器の口部に着脱される容器用のキャップであって、外周面における周方向の複数の部位に、縦リブが複数並列に形成されたローレット部が形成され、複数の該ローレット部それぞれの上側又は下側に、前記縦リブが形成されていない非ローレット部が形成されており、前記非ローレット部は、キャップを開ける際の回転方向である開封時回転方向の前方に位置する前記ローレット部との境界線である前方境界線と、前記開封時回転方向の後方に位置する前記ローレット部との境界線である後方境界線とで、前記外周面の周方向に延びる周方向基準線に対する傾斜角度が異なる、容器用のキャップを提供するものである。
また、本発明は、前記の容器用キャップを、内容物が充填された容器の口部に螺着してなる、内容物入り容器を提供するものである。
【発明の効果】
【０００７】
本発明によれば、キャップを回転させる際に、非ローレット部に手指が入ることで、手指に痛みを感じにくく、また前方境界線部及び後方境界線部に指の腹が当たることで、キャップと手指間にすべりが生じにくく、開封又は閉鎖しやすい容器用のキャップが提供される。
また本発明によれば、キャップを回転させる際に、手指に痛みを感じにくい上に、開封又は閉鎖しやすい容器が提供される。
【図面の簡単な説明】
【０００８】
【図１】図１は、本発明の容器用のキャップの一実施形態を示す斜視図である。
【図２】図２は、図１に示す容器用のキャップを容器の口部に装着した状態の縦断面図である。
【図３】図３は、図１に示す容器用のキャップのＩＩＩーＩＩＩ線横断面図である。
【図４】図４は、図１に示す容器用のキャップの外周面の展開図である。
【図５】図５は、図４の要部拡大図である。
【図６】図６は、本発明の他の実施形態における図５相当図である。
【図７】図７（ａ）は、図１に示す容器用のキャップを着脱する容器の一例を示す図、図７（ｂ）は、図７（ａ）に示す容器の口部を形成している部材の斜視図である。
【図８】図８は、図７（ａ）に示す容器の口部に取り付けられた状態の図１に示すキャップを取り外して内部の液体を他の容器に詰め替える様子を示す斜視図である。
【図９】図９は、本発明の更に他の実施形態である容器用のキャップの外周面の展開図であり、図４に相当する図である。
【図１０】図１０は、本発明の更に他の実施形態である容器用のキャップの外周面の展開図であり、図４に相当する図である。
【図１１】図１１は、本発明の更に他の実施形態である容器用のキャップの外周面の展開図であり、図４に相当する図である。
【図１２】図１２は、本発明の更に他の実施形態である容器用のキャップの外周面の展開図であり、図５に相当する図である。
【発明を実施するための形態】
【０００９】
以下に、本発明をその好ましい実施形態に基づいて説明する。
第１実施形態の容器用のキャップ１（以下、単にキャップ１ともいう）は、内周面１３に螺条１３ａを有し、回転させることにより容器２の口部３に着脱される、容器用のキャップである。
詳細には、キャップ１は、平板状の天面部１１と天面部１１の周縁部から垂下するように形成された筒状部１２とを有しており、筒状部１２の内周面１３に螺条１３ａを有している。筒状部１２の下端１２ｂが、キャップ１の下端となっている。
【００１０】
キャップ１は、各種公知の容器のキャップとして用いることができ、例えば、図７（ａ）及び図８に示す容器２のように、内部に液体４を収容する容器２のキャップとして好ましく用いられる。図７（ａ）及び図８に示す容器２は、上端に開口部を有する口部３の周囲に、キャップ１の螺条１３ａと螺合する螺条３ａを備えており、キャップ１を口部３に被せて、図１中に示す閉鎖時回転方向Ｒに回転させることにより、キャップ１が口部３に螺合し、口部３上端の開口部が液密に閉鎖される。またその閉鎖状態から、キャップ１を、図１中に示す開封時回転方向Ｆに回転させることにより、キャップ１が口部３から外れ、口部３上端の開口部が開放される。閉鎖時回転方向Ｒ及び開封時回転方向Ｆは、図４に示すように、キャップ１の外周面の展開図において、何れも、外周面１４の周方向Ｘに沿う方向である。
キャップ１の螺条１３ａ及び容器の口部３の螺条３ａの形態は、特に制限されず、キャップ１を、回転させることにより容器の口部３に着脱し得る限り任意の形態とすることができる。キャップ１又は口部３に設けられた螺条は、キャップ１又は口部３に断続線状に配置された複数の凸部からなるものであっても良い。
【００１１】
また、図７（ａ）及び図８に示す容器２は、注出口を備えた注出容器やポンプ機構等により内部の液体を液状又は泡状として吐出する吐出容器に、注出又は吐出させる液体を補充するために用いられる詰め替え用の容器である。図８には、注出口やポンプ機構等を取り外した状態の注出又は吐出容器５が示されている。図７（ａ）及び図８に示す容器２の口部３は、樹脂フィルム等のシート材からなる袋状の本体部２１の上面部２２に、図７（ｂ）に示す口部形成部材３１を、図２に示すように、上面部２２を貫通させて固定することにより形成されている。
【００１２】
本実施形態のキャップ１においては、図１及び図４に示すように、外周面１４における周方向Ｘの複数の部位、具体的には周方向Ｘにおける６か所に、縦リブ１５ａが複数並列に形成されたローレット部１５が形成されている。縦リブ１５ａは、それぞれ、外周面１４の周方向Ｘと交差する上下方向に延びている。
また図４に示すように、外周面１４の周方向Ｘにおけるローレット部１５が形成されている部位に、縦リブ１５ａが形成されていない非ローレット部１６が形成されている。本実施形態における非ローレット部１６は、外周面１４の周方向Ｘに形成された複数のローレット部１５それぞれの上側（天面部１１側）に位置している。本明細書において「下側」は、キャップの高さ方向Ｙにおいてキャップの下端１２ｂ側であり、「上側」は、キャップの高さ方向Ｙにおいてキャップの下端１２ｂ側とは反対側（本実施形態においては天面部１１側）である。
ローレット部１５と非ローレット部１６は、周方向Ｘにおけるそれぞれの長さの好ましくは２／３以上の長さ、より好ましくは３／４以上の長さが、周方向Ｘにおいて重なっていることが好ましい。
また本実施形態のキャップ１においては、ローレット部１５とその上側（天面部１１側）に位置する非ローレット部１６とからなるペアが、図４に示すように、外周面１４の周方向Ｘに等間隔に６個配置されている。なお、図４に示された外周面１４の展開図における右端Ｐ１と左端Ｐ１とは、図３に示すように、非展開状態の円筒状の外周面１４においては同位置である。
【００１３】
ローレット部１５の複数本の縦リブ１５ａは、周方向Ｘにおける配置ピッチＰ（図３参照）が、好ましくは５ｍｍ以下、更に好ましくは２ｍｍ以下であり、より好ましくは０．５ｍｍ以上５ｍｍ以下、より好ましくは０．５ｍｍ以上２ｍｍ以下である。より好ましい実施形態では、配置ピッチＰは１ｍｍである。また、縦リブ１５ａは、非ローレット部１６の表面からの突出高さｔ（図３参照）が、好ましくは０．１ｍｍ以上、より好ましくは０．２ｍｍ以上であり、また好ましくは１ｍｍ以下、より好ましくは０．５ｍｍ以下であり、また好ましくは０．１ｍｍ以上１ｍｍ以下、より好ましくは０．２ｍｍ以上０．５ｍｍ以下である。また、縦リブ１５ａの頂部と縦リブ１５ａ間に存する溝部１５ｂの底部との高低差は、前記突出高さｔの、好ましくは５０％以上１００％以下、より好ましくは８０％以上１００％以下である。
【００１４】
そして、本実施形態における個々の非ローレット部１６は、図５に示すように、開封時回転方向Ｆの前方に位置するローレット部１５との境界線である前方境界線Ｌａと、開封時回転方向Ｆの後方に位置する前記ローレット部との境界線である後方境界線Ｌｂとで、外周面１４の周方向に延びる周方向基準線Ｌに対する傾斜角度θ１、θ２が異なっている。より具体的には、前方境界線Ｌａが、後方境界線Ｌｂよりも周方向基準線Ｌに対する傾斜角度が大きくなっている。本実施形態のキャップ１において、非ローレット部１６の前方境界線Ｌａは、該非ローレット部１６の開封時回転方向Ｆの前方に位置する長さが最大の縦リブ１５Ｔの側縁に沿う直線であり、後方境界線Ｌｂは、非ローレット部１６に沿って並ぶ複数の縦リブ１５ａの長手方向の端部に接する接線である直線、より詳細にはローレット部を構成する全ての縦リブ１５ａの長手方向の一端部に接する直線である。
【００１５】
周方向基準線Ｌは、外周面１４の周方向Ｘに延びる仮想線である。本実施形態のキャップ１における非ローレット部１６は、前方境界線Ｌａ及び後方境界線Ｌｂが何れも外周面１４の展開図において直線状であるため、周方向基準線Ｌを、外周面１４の周方向Ｘに直交する方向Ｙ（以下、キャップ１の高さ方向Ｙともいう）の長さが最大の縦リブ１５Ｔの長さの範囲内のいずれの位置に設定しても、前方境界線Ｌａの周方向基準線Ｌに対する傾斜角度θ１及び後方境界線Ｌｂの周方向基準線Ｌに対する傾斜角度θ２は、それぞれ一定であるが、図６に示すように、前方境界線Ｌａ又は後方境界線Ｌｂが、円弧状等の非直線状である場合には、それぞれの平均的な角度が得られる位置、例えば、周方向Ｘに直交する方向Ｙの長さが最大の縦リブ１５Ｔの長さを２等分する位置に周方向基準線Ｌを設定して傾斜角度を比較する。図６に示す例における後方境界線Ｌｂは、非ローレット部１６に沿って並ぶ複数の縦リブ１５ａの長手方向の端部に接する接線である円弧状の曲線、より詳細にはローレット部を構成する全ての縦リブ１５ａの長手方向の一端部に接する円弧状の曲線である。
【００１６】
図４に示すように、本実施形態のキャップ１における縦リブ１５ａは、外周面１４の展開図において、外周面１４の周方向に直交する縦方向仮想直線ＴＬと平行であるが、本発明における縦リブは、縦方向仮想直線ＴＬに対して±２０°以下の傾斜を有するものであっても良い。本発明における縦リブは、縦方向仮想直線ＴＬに対する傾斜角度が、好ましくは±１０°以下、更に好ましくは±５°以下であり、最も好ましくは０°である。図４に示すように、縦リブ１５ａが縦方向仮想直線ＴＬと平行である場合が、縦方向仮想直線ＴＬに対する傾斜角度が０°であり、縦リブ１５ａの上端が下端より開封時回転方向Ｆの前側に位置する場合の傾斜角度がプラスの角度、縦リブ１５ａの上端が下端より開封時回転方向Ｆの後ろ側に位置する場合の傾斜角度がマイナスの角度である
【００１７】
図２には、本実施形態のキャップ１が、容器２の口部３に取り付けられて口部３上端の開口部を閉鎖している状態が示されているが、その状態のキャップ１を口部３から取り外すには、図８に示すように、通常のキャップと同様に、キャップ１を手指で摘まんで、図１及び図４に示す開封時回転方向Ｆに回転させる。
このとき、本実施形態のキャップ１は、１以上の手指の腹が非ローレット部１６に当接し、その状態からキャップ１を回転させると、非ローレット１６に当接している手指が非ローレット部１６とともに非ローレット部１６の前方境界線Ｌａに位置する縦リブ１５ａとも接触し、その縦リブ１５ａが滑り止めとなって、キャップ１との間にすべりが生じにくい。更に非ローレット１６に当接している手指が、非ローレット部１６とともに非ローレット部１６の後方境界線Ｌｂに位置する縦リブ１５ａとも接触するため、後方境界部線Ｌｂ側の縦リブ１５ａも滑り止めとなって、キャップ１との間のすべりが一層生じにくい。
このように、本実施形態のキャップ１によれば、手指の腹を平坦な非ローレット部１６に当接させながら回転させることができるので、縦リブ１５ａが食い込むことにより手指に痛みを感じることが生じにくく、しかもその手指が、非ローレット部１６の前方境界部線Ｌａに位置する縦リブ１５ａとも当接し、しかも、前方境界部線Ｌａがキャップ１の周方向に対して大きな角度を有するため、傾斜角度が小さい場合に比べて、手指による回転力が、前方境界部線Ｌａに存する縦リブ１５ａに効果的に加わる。即ち、本実施形態のキャップ１によれば、キャップ１を開封時回転方向Ｆに回転させる際に、手指との間にすべりが生じ難い上に、手指に痛みを感じにくく、例えば、力が弱い人でも容易にキャップ１を回転させることができ、容易にキャップ１を取り外して口部３上端の開口部を開放させることができる。
なお本発明は、前方境界線と後方境界線とに手指の腹が同時に接するキャップに限定されず、何れかの境界線に手指の腹が接するキャップも含む。
【００１８】
非ローレット部１６の前方境界部線Ｌａの周方向基準線に対する傾斜角度θ１を、後方境界線Ｌｂの同傾斜角度θ２よりも大きくするには、図５に示すように、ローレット部１５を構成する縦リブ１５ａの長さを、開封時回転方向Ｆの後側（図５中の左側）から前側（図５中の右側）に向かって、漸減させることが好ましい。
【００１９】
また非ローレット部１６に手指の腹が当接する面積を確保しつつその手指とキャップ１との間にすべりが生じないようにする観点から、非ローレット部１６は、キャップ１の高さ方向Ｙに沿う最大長さＴ６が、ローレット部１５の同方向Ｙに沿う最大長さＴ５の６５％以上１００％以下であることが好ましく、より好ましくは７０％以上１００％以下、更に好ましくは８０％以上１００％以下である。本実施形態における非ローレット部１６は、図５に示すように、前方境界線Ｌａ、後方境界線Ｌｂ、及び外周面１４の周方向Ｘに隣り合うローレット部の上端どうしを結ぶ直線Ｌｕに囲まれた領域であり、外周面１４の展開図において三角形状である。また、非ローレット部１６の前記最大長さＴ６の最大値は、ローレット部１５の前記最大長さＴ５の１００％以下である。図５に示す例においては、非ローレット部１６の前記最大長さＴ６は、ローレット部１５の前記最大長さＴ５の１００％未満である。
【００２０】
また非ローレット部１６に手指の腹が当接する面積を確保しつつその手指とキャップ１との間にすべりが生じないようにする観点から、非ローレット部１６の前記最大長さＴ６は、キャップ１の外周面１４の高さＴに対して、好ましくは６０％以上１００％以下、より好ましくは８０％以上１００％以下である。また同様の観点から、非ローレット部１６の前記最大長さＴ６は、好ましくは５ｍｍ以上１５ｍｍ以下、より好ましくは８ｍｍ以上１２ｍｍ以下である。
【００２１】
また本実施形態のキャップ１における非ローレット部１６は、前述した前方境界線Ｌａの周方向基準線Ｌに対する傾斜角度θ１が略９０°（８５°〜９５°）であり、後方境界線Ｌｂの周方向基準線Ｌに対する傾斜角度θ２が１５°以上６０°以下である。これにより、非ローレット部１６に手指の腹が当接する面積を確保しつつその手指とキャップ１との間のすべりを一層効果的に抑制可能となっている。同様の観点から、傾斜角度θ２は、３０°以上６０°以下であることがより好ましい。
【００２２】
本実施形態のキャップ１におけるローレット部１５及び非ローレット部１６は、何れも、外周面１４の展開図において三角形状（略三角形状を含む、以下同様）、より詳細には直角三角形状（略直角三角形状を含む。以下同様）である。非ローレット部１６を三角形状とすることにより、非ローレット部１６と、前方境界部線Ｌａ及び後方境界線Ｌｂに沿って存在する縦リブ１５ａとに同時に手指が当たり易くなり、手指に痛みを感じにくいという利点を維持しつつ、手指の滑りにくさ一層向上させることができ、直角三角形状とすることにより、手指に痛みを感じにくいという利点を維持しつつ、手指の滑りにくさを更に向上させることができる。同様の観点から、個々の非ローレット部１６の面積は、好ましくは３０ｍｍ2以上９０ｍｍ2以下、より好ましくは４８ｍｍ2以上７２ｍｍ2以下である。
【００２３】
ローレット部１５を構成する個々の縦リブ１５ａは、非ローレット部１６との境界部に位置する、その長手方向（キャップの高さ方向Ｙに沿う方向）の端部が、非ローレット部１６の表面１６ｓと同じ高さ位置（キャップ１の径方向ｄにおける高さ位置）からキャップ１の径方向ｄの外方に向かって突出していることが好ましい（図３参照）。
また縦リブ１５ａが突出する基面と非ローレット部１６の表面１６ｓとの間には、段差（キャップ１の径方向ｄにおける高低差）がないことが好ましい。
非ローレット部１６から連続して縦リブ１５ａが設けられていると、キャップと手指間に一層すべりが生じ難くなり、キャップを回転させるときに、必要以上の力をキャップに加える必要がなく、手指に一層痛みを感じにくいため好ましい。なお、キャップ１の周方向にいて隣り合う縦リブ１５ａ間に存する溝部１５ｂも、非ローレット部１６の表面１６ｓと同じ高さに底部を有することが好ましい。
【００２４】
本発明は、上記の実施形態に制限されず、種々の変形が可能である。
例えば、上述した実施形態のキャップ１は、図４に示すように、ローレット部１５及び非ローレット部１６は、何れも、外周面１４の展開図において三角形状、より詳細には直角三角形状であったが、図９に示す実施形態のキャップは、ローレット部１５が直角三角形状であるのに対して、非ローレット部１６は、台形状（略台形を含む、以下同様）である。図９に示す実施形態のキャップにおける非ローレット部は、前方境界線Ｌａ、後方境界線Ｌｂ、外周面１４の周方向Ｘに隣り合うローレット部の上端どうしを結ぶ直線Ｌｕ、及び外周面１４の周方向Ｘに隣り合うローレット部の下端どうしを結ぶ直線Ｌｄに囲まれた領域であり、キャップ１の上端側（天面部１１側）に下底、キャップ１の下端１２ｂ側に下底よりも長さの短い上底を有する台形状である。この場合、外周面１４の周方向Ｘにおいて、ローレット部１５間に存する隙間の長さＬ６は、０ｍｍより大きく、好ましくは８ｍｍ以下であり、より好ましくは５ｍｍ以下である。かかる長さであると、前方境界線Ｌａまたは後方境界線Ｌｂ或いは両境界線Ｌａ，Ｌｂに成人の手指が当たり易くなり、手指に痛みを感じにくいという利点を維持しつつ、手指の滑りにくさを一層向上させることができ、好ましい。
【００２５】
また、上述した実施形態のキャップ１においては、非ローレット部１６が各ローレット部１５の上側に位置していたが、図１０に示すように、非ローレット部１６が各ローレット部１５の下側に位置していても良い。図１０に示す実施形態において非ローレット部１６は、前方境界線Ｌａ、後方境界線Ｌｂ、及び外周面１４の周方向Ｘに隣り合うローレット部の下端どうしを結ぶ直線Ｌｄに囲まれた領域であり、三角形状である。
また、図１１に示すように、各ローレット部１５の上側に非ローレット部１６を有するのに加え、ローレット部１５の一部を挟んで非ローレット部１６と対向する部位に第２の非ローレット部１７を有していても良い。
図９〜図１１に外周面の展開図を示す他の実施形態のキャップにおいても、非ローレット部１６は、開封時回転方向Ｆの前方に位置するローレット部１５との境界線である前方境界線Ｌａと、開封時回転方向Ｆの後方に位置するローレット部１５との境界線である後方境界線Ｌｂとで、外周面１４の周方向に延びる周方向基準線Ｌに対する傾斜角度が異なり、より具体的には、前方境界線Ｌａの方が、後方境界線Ｌｂよりも周方向基準線Ｌに対する傾斜角度が大きくなっているため、上述した実施形態のキャップ１と同様の効果が奏される。
【００２６】
また、非ローレット１６の前方境界線Ｌａは、図５に示すように、開封時回転方向Ｆの前方に隣接する縦リブ１５Ｔの側縁によって形成されており、前方境界線Ｌａの傾斜角度θ１は、その縦リブ１５Ｔの周方向基準線Ｌに対する傾斜角度と等しく略９０°であることが好ましいが、前方境界線Ｌａの前記傾斜角度θ１は、図１２に示すように、略９０°でなくても良い、図１２に示す例においては、前方境界線Ｌａの周方向基準線Ｌに対する傾斜角度θ１が６０°超８５°未満であるが、該傾斜角度θ１は、後方境界線Ｌｂの周方向基準線Ｌに対する傾斜角度θ２よりも大きくなっている。後方境界線Ｌｂの周方向基準線Ｌに対する傾斜角度θ２は、１５°以上６０°以下が好ましく、３０°以上６０°以下がより好ましい。
【００２７】
また、図１に示すキャップ１においては、ローレット部１５とその上側に位置する非ローレット部１６とからなるペアが、外周面１４の周方向Ｘに等間隔に６個配置されていたが、ローレット部１５とその上側又は下側に位置する非ローレット部１６とからなるペアが、外周面１４の周方向Ｘに３個、４個又は５個配されていても良く、７個以上配されていても良い。ローレット部１５とその上側又は下側に位置する非ローレット部１６とからなるペアの数は、３個以上１５個以下が好ましく、５個以上８個以下がより好ましい。
【００２８】
また、本発明においては、後方境界線Ｌｂの周方向基準線Ｌに対する傾斜角度を、前方境界線Ｌａの周方向基準線Ｌに対する傾斜角度よりも大きくすることもできる。その場合、キャップ１を閉鎖時回転方向Ｒに回転させることが容易となり、キャップ１を閉める際に、手指との間にすべりが生じ難い上に、手指に痛みを感じにくいといった効果が奏される。
【００２９】
また、キャップの外周面以外の部分の形態は任意の形態とすることができ、例えば、キャップは、平板状の天面部に代えて凸曲面状の天面部を有していても良いし、天面部に内容物を注出させる注出口や注出筒等を有していても良い。また、非ローレット部１６の表面は、平滑面であっても良いし、本発明の効果を損なわない範囲の微小な凹凸を有していても良い。
【００３０】
以上に記載の通り、使いやすいキャップとして、キャップの回栓時には回転し始めに力をかけやすく、一方、キャップの閉栓時には回転し終わりに力をかけやすいことが求められ、本発明のキャップは使いやすいキャップである。
【００３１】
なお、本発明において縦リブは、キャップ表面（例えば非ローレット部１６の表面）から突出している凸条リブだけではなく、キャップ表面から陥没している凹条リブであっても良い。
【００３２】
更に、本発明において縦リブは、キャップ表面から突出または陥没して、キャップの高さ方向Ｙに断続状に配置された複数の凸部（又は凹部）からなるものであっても良い。
【００３３】
キャップの材質は、合成樹脂であることが好ましいが、金属やセラミックス製であってもよい。
上述した各実施形態のキャップを、液状の内容物が充填された、図７（ａ）及び図８に示す容器２の口部３に螺着してなる内容物入り容器は、本発明の内容物入り容器の好ましい実施形態の例である。液状の内容物としては、シャンプー、リンス、ヘアコンディショナー、液体石鹸、染毛剤、食器用洗剤、洗濯用の洗剤、柔軟剤及び漂白剤、マウスウォッシュ、消臭剤、飲料、液状食品、調味料、薬剤等、容器に収容して取引や保管等されている各種液体が挙げられる。
【符号の説明】
【００３４】
１  容器用キャップ
１１  天面部
１２  筒状部
１２ｂ  筒状部及びキャップの下端
１３  内周面
１３ａ  螺条
１４  外周面
Ｘ  外周面の周方向
１５  ローレット部
１５ａ，１５Ｔ  縦リブ
１５ｂ  溝部
１６  非ローレット部
Ｌａ  前方境界線
Ｌｂ  後方境界線
θ１  前方境界線の周方向基準線に対する傾斜角度
θ２  後方境界線の周方向基準線に対する傾斜角度
２  容器
３  口部
【図１】
0006542575.tif 000002
【図２】
0006542575.tif 000003
【図３】
0006542575.tif 000004
【図４】
0006542575.tif 000005
【図５】
0006542575.tif 000006
【図６】
0006542575.tif 000007
【図７】
0006542575.tif 000008
【図８】
0006542575.tif 000009
【図９】
0006542575.tif 000010
【図１０】
0006542575.tif 000011
【図１１】
0006542575.tif 000012
【図１２】
0006542575.tif 000013